(57)【特許請求の範囲】
【請求項１】
撮影空間において、被写体を撮影する撮影部と、
前記撮影空間の後方の側面または上面に備えられ、前記被写体に光を照射する照射部と、
前記照射部からの光を遮蔽または弱める遮蔽部と
を備え、
前記遮蔽部は、前記照射部の中央部分と、前記照射部の両端の部分に設けられ、
前記中央部分と前記両端の部分の間にそれぞれスリットが設けられ、
前記中央部分の前記遮蔽部の幅は、前記両端の部分のそれぞれの前記遮蔽部の幅よりも大きく、
前記スリット同士は、同一の大きさとされる
撮影装置。
【請求項２】
前記遮蔽部の前記中央部分にもスリットが設けられ、
前記中央部分のスリットは、前記中央部分と前記両端の部分の間のスリットよりも小さいスリットとされる
請求項１に記載の撮影装置。
【請求項３】
前記遮蔽部の略中央部分にもスリットが設けられ、
前記中央部分のスリットと、前記中央部分と前記両端の部分の間のスリットは同じ大きさとされ、
前記中央部分の遮蔽部は、前記両端の遮蔽部よりも前記照射部に対して遠い位置に設けられる
請求項１に記載の撮影装置。
【請求項４】
前記撮影部は、利用者を前記被写体として撮影し、
前記撮影部により撮影された前記利用者の画像に対して編集情報を入力する編集作業を行わせる編集部と、
得られた編集済みの前記利用者の画像を所定のシール紙に印刷し、印刷された前記シール紙を排出し、写真シールとして前記利用者に提供する印刷部と
をさらに備える
請求項１乃至３のいずれかに記載の撮影装置。
【発明の詳細な説明】
【技術分野】
【０００１】
本技術は，撮影装置に関する。詳しくは、撮影時に被写体に均一に光が当たるようにし、被写体をより美しく撮影する撮影装置に関する。
【背景技術】
【０００２】
利用者を撮影し、撮影画像に対して利用者に編集を行わせ、編集後の画像をシール紙に印刷して提供する写真シール作成装置が知られている。このような写真シール作成装置は娯楽（遊戯）施設等に設置される。写真シール作成装置によって提供される１ゲームの流れは、通常、撮影空間内にいる利用者を被写体として撮影し、利用者を編集空間に移動させ、編集空間内で行われる操作に従って画像を編集し、編集後の画像である編集画像をシール紙に印刷して排出するという流れになる。
【０００３】
このような写真シール作成装置においては、利用者を美しく撮影するために、比較的強い光を利用者（被写体）に当てることが行われていた。特許文献１においては、写真シール作成装置の撮影空間における通常被写体の後ろ側となる背景の両サイドに、レンガ状の格子構造のルーバーを備えたストロボを配置することが提案されている。このように、ストロボを配置することで、指向性を有する光として出射することができ、必要な領域、例えば、頭髪部分にのみに光を照射することができる。この結果、髪に艶がある撮影画像を利用者に提供することができる。
【先行技術文献】
【特許文献】
【０００４】
【特許文献１】特開２００６-０５８７９４号公報
【発明の概要】
【発明が解決しようとする課題】
【０００５】
特許文献１においては、ストロボから出射された拡散光が、拡散方向によって光に強弱があるため、光が均一に照射されず、髪の艶が斑になり写りが良くない画像が利用者に提供されてしまう可能性があった。
【０００６】
本技術は、このような状況に鑑みてなされたものであり、被写体に均一に光を当て、写りが良い画像を利用者に提供することができるようにするものである。
【課題を解決するための手段】
【０００７】
本技術の一側面の第１の撮影装置は、撮影空間において、被写体を撮影する撮影部と、前記撮影空間の後方の側面または上面に備えられ、前記被写体に光を照射する照射部と、前記照射部からの光を遮蔽または弱める遮蔽部とを備え、前記遮蔽部は、前記照射部の中央部分と、前記照射部の両端の部分に設けられ、前記中央部分と前記両端の部分の間にそれぞれスリットが設けられ、前記中央部分の前記遮蔽部の幅は、前記両端の部分のそれぞれの前記遮蔽部の幅よりも大きく、前記スリット同士は、同一の大きさとされる。
【０００８】
前記遮蔽部の前記中央部分にもスリットが設けられ、前記中央部分のスリットは、前記中央部分と前記両端の部分の間のスリットよりも小さいスリットとされるようにすることができる。
【０００９】
前記遮蔽部の略中央部分にもスリットが設けられ、前記中央部分のスリットと、前記中央部分と前記両端の部分の間のスリットは同じ大きさとされ、前記中央部分の遮蔽部は、前記両端の遮蔽部よりも前記照射部に対して遠い位置に設けられるようにすることができる。
【００１３】
前記撮影部は、利用者を前記被写体として撮影し、前記撮影部により撮影された前記利用者の画像に対して編集情報を入力する編集作業を行わせる編集部と、得られた編集済みの前記利用者の画像を所定のシール紙に印刷し、印刷された前記シール紙を排出し、写真シールとして前記利用者に提供する印刷部とをさらに備えるようにすることができる。
【００１４】
本技術の一側面の第１の撮影装置においては、撮影空間の後方の側面または上面に備えられ、被写体に光を照射する照射部と、照射部からの光を遮蔽または弱める遮蔽部が備えられる。遮蔽部は、照射部の中央部分と、照射部の両端の部分に設けられ、中央部分と両端の部分の間にそれぞれスリットが設けられ、中央部分の遮蔽部の幅は、両端の部分のそれぞれの遮蔽部の幅よりも大きく、スリット同士は、同一の大きさとされる。
【発明の効果】
【００１７】
本技術の一側面によれば、被写体に均一に光を当て、写りが良い画像を利用者に提供することができるようになる。
【図面の簡単な説明】
【００１８】
【図１】写真シール作成装置の外観の構成例を示す斜視図である。
【図２】写真シール作成装置の外観を他の角度からみた斜視図である。
【図３】利用者の移動について説明する図である。
【図４】撮影部の構成例を示す図である。
【図５】背景部の構成例を示す図である。
【図６】編集部の構成例を示す図である。
【図７】事後接客部の構成例を示す図である。
【図８】撮影部における被写体の立ち位置について説明するための図である。
【図９】照明部の構成について説明するための図である。
【図１０】ストロボの構成について説明するための図である。
【図１１】スリットについて説明するための図である。
【図１２】ストロボの構成について説明するための図である。
【図１３】遮蔽物の構成について説明するための図である。
【図１４】遮蔽物の構成について説明するための図である。
【図１５】遮蔽物の構成について説明するための図である。
【図１６】ストロボカバーの構成について説明するための図である。
【図１７】ストロボカバーの構成について説明するための図である。
【図１８】ストロボカバーの構成について説明するための図である。
【図１９】ストロボカバーの構成について説明するための図である。
【図２０】ストロボカバーの構成について説明するための図である。
【図２１】ストロボの構成について説明するための図である。
【図２２】不要な光について説明するための図である。
【図２３】ストロボの構成について説明するための図である。
【図２４】透過フィルムの構成について説明するための図である。
【発明を実施するための形態】
【００１９】
以下に、本技術の実施の形態について図面を参照して説明する。
【００２０】
［写真シール作成装置の構成例］
図１は、本発明の一実施形態に係る写真シール作成装置１の外観の構成例を示す斜視図である。
【００２１】
写真シール作成装置１は、撮影や編集等の作業を利用者にゲームとして行わせ、撮影画像や編集済み画像を提供する代わりに利用者より代金を受け取るゲーム機である。写真シール作成装置１はゲームセンタなどの店舗に設置される。利用者は１人であることもあるし、複数人であることもある。
【００２２】
写真シール作成装置１が提供するゲームで遊ぶ利用者は、代金を投入し、自身が被写体となって撮影を行い、撮影によって得られた撮影画像の中から選択した編集対象の画像に対して、手書きの線画やスタンプ画像を合成する編集機能を用いて編集を行うことにより、撮影画像を彩り豊かな画像にする。利用者は、編集済みの画像が印刷されたシール紙を受け取って一連のゲームを終了させることになる。
【００２３】
写真シール作成装置１は、主に、後述する撮影空間内に設けられた撮影ユニット１１、編集部１２、および事後接客部１３から構成される。撮影ユニット１１と編集部１２が接した状態で設置され、編集部１２と事後接客部１３が接した状態で設置される。
【００２４】
撮影ユニット１１は、撮影部２１と背景部２２から構成される。撮影部２１と背景部２２は所定の距離だけ離れて設置され、撮影部２１と背景部２２の間に形成される空間である撮影空間において撮影処理が行われる。
【００２５】
撮影部２１は撮影処理を利用者に行わせる装置である。撮影部２１は、撮影空間に入り、撮影処理を行っている利用者の正面に位置する。撮影空間を正面に望む面を構成する撮影部２１の正面パネル４１には、撮影処理時に利用者により用いられるタッチパネルモニタなどが設けられる。撮影空間にいる利用者から見て左側の面を左側面、右側の面を右側面とすると、撮影部２１の左側面が側面パネル４２Ａにより構成され、右側面が側面パネル４２Ｂにより構成される。
【００２６】
なお、利用者の操作入力を受け付けるタッチパネルモニタとは別に、利用者のライブビュー（動画像）を表示するライブビューモニタが設けられるようにしてもよい。
【００２７】
背景部２２は、正面を向いて撮影処理を行っている利用者の背面側に位置する板状の部材である背面パネル５１、背面パネル５１の左端に取り付けられ、側面パネル４２Ａより横幅の狭い板状の部材である側面パネル５２Ａ、および、背面パネル５１の右端に取り付けられ、側面パネル４２Ｂより横幅の狭い板状の部材である側面パネル５２Ｂから構成される。
【００２８】
撮影部２１の左側面を構成する側面パネル４２Ａと背景部２２の側面パネル５２Ａは、ほぼ同一平面に設けられ、それぞれの上部が板状の部材である連結部２３Ａによって連結される。また、撮影部２１の右側面を構成する側面パネル４２Ｂと背景部２２の側面パネル５２Ｂは、ほぼ同一平面に設けられ、それぞれの上部が板状の部材である連結部２３Ｂによって連結される。
【００２９】
撮影部２１の側面パネル４２Ａ、連結部２３Ａ、および背景部２２の側面パネル５２Ａに囲まれることによって形成される開口が撮影空間の出入り口Ｇ１となる。出入り口Ｇ１の反対側に位置し、撮影部２１の側面パネル４２Ｂ、連結部２３Ｂ、および背景部２２の側面パネル５２Ｂに囲まれることによって形成される開口も撮影空間の出入り口Ｇ２となる。
【００３０】
背景部２２の上部には、背面パネル５１、側面パネル５２Ａ、および側面パネル５２Ａの反対側に位置する側面パネル５２Ｂによって支持される形で背景カーテンユニット２５が設けられる。背景カーテンユニット２５には、色または柄の異なる、背景に利用する巻き取り式の背景カーテンが複数収納される。背景カーテンユニット２５は、撮影部２１に設けられたカメラ等による撮影と連動して動作し、撮影の際に、例えば利用者により選択された色のカーテンを下ろし、その他のカーテンを巻き取る。
【００３１】
なお、背景カーテンユニット２５に収納される背景カーテンとしては、複数枚のカーテンを１枚のクロマキ用のカーテンとして使用する昇降式カーテンを用意してもよい。また、クロマキ用のカーテンを予め撮影空間の背面となる背面パネル５１に張り付けるとともに、合成用の背景画像を複数種類用意し、後述する編集処理において、利用者が所望する背景画像をカーテンの部分に合成することができるようにしてもよい。
【００３２】
撮影空間の上方には、撮影部２１の正面パネル４１、連結部２３Ａ、連結部２３Ｂ、および背景カーテンユニット２５に囲まれる開口が形成され、その開口の一部を覆うように天井ストロボユニット２４が設けられる。天井ストロボユニット２４の一端が連結部２３Ａに固定され、他端が連結部２３Ｂに固定される。天井ストロボユニット２４は、撮影に合わせて撮影空間内に向けて発光するストロボを内蔵する。天井ストロボユニット２４を構成するストロボの内部には蛍光灯が設けられており、撮影空間の照明としても機能する。
【００３３】
編集部１２は、撮影処理によって得られた画像を編集する処理である編集処理を利用者に行わせる装置である。編集部１２は、一方の側面が撮影部２１の正面パネル４１の背面に接するように撮影ユニット１１に連結して設けられる。編集部１２には、編集処理時に利用者により用いられるタブレット内蔵モニタなどの構成が設けられる。
【００３４】
図１に示す編集部１２の構成を正面側の構成とすると、２組の利用者が同時に編集処理を行うことができるように、編集部１２の正面側と背面側には編集処理に用いられる構成がそれぞれ設けられる。
【００３５】
編集部１２の正面側は、床面に対して垂直な面であり、側面パネル４２Ａとほぼ平行な面である面７１と、面７１の上方に形成された斜面７２から構成され、編集処理に用いられる構成が斜面７２に設けられる。斜面７２の左側には、柱状の形状を有し、照明装置７４の一端を支持する支持部７３Ａが設けられる。支持部７３Ａの上面にはカーテンレール２６を支持する支持部７５が設けられる。斜面７２の右側にも、照明装置７４の他端を支持する支持部７３Ｂが設けられる。
【００３６】
編集部１２の上方にはカーテンレール２６が取り付けられる。カーテンレール２６は、上から見たときの形状がコの字状となるように３本のレール２６Ａ乃至２６Ｃを組み合わせて構成される。平行に設けられるレール２６Ａと２６Ｂの一端は、連結部２３Ａと連結部２３Ｂにそれぞれ固定され、他端に残りの一本のレール２６Ｃの両端が接合される。
【００３７】
カーテンレール２６には、編集部１２の正面前方の空間と背面前方の空間の内部が外から見えないようにカーテンが取り付けられる。カーテンレール２６に取り付けられたカーテンにより囲まれる編集部１２の正面前方の空間と背面前方の空間が、利用者が編集処理を行う編集空間となる。
【００３８】
図２は、写真シール作成装置１を別の角度から見た斜視図である。
【００３９】
事後接客部１３は事後接客処理を利用者に行わせる装置である。事後接客処理には、撮影画像や編集済みの画像を携帯電話機などの携帯端末に送信する処理、ミニゲームを利用者に行わせる処理、アンケートに答えさせる処理などが含まれる。
【００４０】
図２に示すように、事後接客部１３は、所定の厚さを有する板状の筐体を有しており、その背面が編集部１２の左側面に接するように編集部１２に連結して設けられる。事後接客部１３の正面には、事後接客処理時に利用者により用いられるタブレット内蔵モニタや、撮影画像や編集済みの画像が印刷されたシール紙が排出される排出口などが設けられる。事後接客部１３の正面前方の空間が、シール紙への印刷が終わるのを待っている利用者が事後接客処理を行う事後接客空間となる。
【００４１】
ここで、写真シール作成ゲームの流れと、それに伴う利用者の移動について図３を参照して説明する。図３は、写真シール作成装置１を上から見た平面図である。
【００４２】
写真シール作成装置１の利用者は、白抜き矢印＃１で示すように出入り口Ｇ１から、または白抜き矢印＃２で示すように出入り口Ｇ２から、撮影部２１と背景部２２の間に形成された撮影空間Ａ１に入り、撮影部２１に設けられたカメラやタッチパネルモニタなど利用して撮影処理を行う。
【００４３】
撮影処理を終えた利用者は、白抜き矢印＃３で示すように出入り口Ｇ１を使って撮影空間Ａ１から出て編集空間Ａ２−１に移動するか、白抜き矢印＃４で示すように出入り口Ｇ２を使って撮影空間Ａ１から出て編集空間Ａ２−２に移動する。
【００４４】
編集空間Ａ２−１は、編集部１２の正面側の編集空間であり、編集空間Ａ２−２は、編集部１２の背面側の編集空間である。編集空間Ａ２−１と編集空間Ａ２−２のいずれの空間に移動するのかが、撮影部２１のタッチパネルモニタの画面表示などによって案内される。例えば２つの編集空間のうちの空いている方の空間が移動先として案内される。編集空間Ａ２−１または編集空間Ａ２−２に移動した利用者は編集処理を開始する。編集空間Ａ２−１の利用者と、編集空間Ａ２−２の利用者は同時に編集処理を行うことができる。
【００４５】
編集処理が終了した後、撮影画像や編集済みの画像の中から選択された画像の印刷が開始される。画像の印刷中、編集処理を終えた利用者は、編集空間Ａ２−１で編集処理を行っていた場合には白抜き矢印＃５で示すように編集空間Ａ２−１から事後接客空間Ａ３に移動して事後接客処理を行う。また、編集処理を終えた利用者は、編集空間Ａ２−２で編集処理を行っていた場合には白抜き矢印＃６で示すように編集空間Ａ２−２から事後接客空間Ａ３に移動し、事後接客空間Ａ３において事後接客処理を行う。
【００４６】
画像の印刷が終了したとき、利用者は、事後接客部１３に設けられた排出口からシール紙を受け取り、一連の写真シール作成ゲームを終えることになる。
【００４７】
次に、装置の各部の構成について説明する。
【００４８】
図４は、撮影部２１の正面の構成例を示す図である。撮影部２１は、正面パネル４１、側面パネル４２Ａ、および側面パネル４２Ｂが、箱状の形状を有するベース部４３に取り付けられることによって構成される。
【００４９】
正面パネル４１は撮影空間Ａ１で撮影処理を行う利用者の正面に位置し、側面パネル４２Ａと側面パネル４２Ｂは、それぞれ、撮影空間Ａ１で撮影処理を行う利用者の左側、右側に位置する。側面パネル４２Ａの上方には連結部２３Ａが固定され、側面パネル４２Ｂの上方には連結部２３Ｂが固定される。
【００５０】
正面パネル４１のほぼ中央には撮影・表示ユニット８１が設けられる。撮影・表示ユニット８１は、カメラ９１、正面ストロボ９２、およびタッチパネルモニタ９３から構成される。
【００５１】
カメラ９１は、ＣＣＤ (Charge Coupled Device)などの撮像素子により構成され、撮影空間Ａ１にいる利用者を撮影する。カメラ９１により取り込まれた動画像は、タッチパネルモニタ９３にリアルタイムで表示される。利用者により撮影が指示されたときなどの所定のタイミングでカメラ９１により取り込まれた画像は撮影画像（静止画像）として保存される。
【００５２】
カメラ９１を囲むように発光面が設けられた正面ストロボ９２は、他のストロボと同様にカメラ９１による撮影に合わせて発光し、被写体としての利用者の顔付近を正面から照射する。
【００５３】
カメラ９１の下側に設けられたタッチパネルモニタ９３は、ＬＣＤ(Liquid Crystal Display)などのモニタと、それに積層されたタッチパネルにより構成される。タッチパネルモニタ９３は、カメラ９１により取り込まれた動画像を表示するライブビューモニタとしての機能と、各種のＧＵＩ(Graphical User Interface)画像を表示し、利用者の選択操作をタッチパネルにより受け付ける機能とを備えている。タッチパネルモニタ９３には、適宜、背景等の画像が合成された後の動画像が表示される。
【００５４】
正面パネル４１には、撮影・表示ユニット８１の位置を基準として、上方に上ストロボ８２が設置される。また、左方に左ストロボ８３が設置され、右方に右ストロボ８４が設置される。撮影・表示ユニット８１の下方の位置には、ベース部４３の上面が一部突出する形で下ストロボ８５が設けられる。
【００５５】
上ストロボ８２は、利用者を上前方から照射する。左ストロボ８３は、利用者を左前方から照射し、右ストロボ８４は、利用者を右前方から照射する。下ストロボ８５は、利用者を下前方から照射する。
【００５６】
ベース部４３には利用者の足元を照射する足元ストロボ８６も設けられる。上ストロボ８２、左ストロボ８３、右ストロボ８４、下ストロボ８５、および足元ストロボ８６の内部には蛍光灯が設けられており、天井ストロボユニット２４を構成するストロボの内部の蛍光灯と合わせて、撮影空間Ａ１内の照明として用いられる。足元ストロボ８６の右側には、利用者がお金を投入する硬貨投入返却口８７が設けられる。
【００５７】
下ストロボ８５を挟んでベース部４３の上面の左右に形成されるスペース４３Ａおよび４３Ｂは、撮影処理を行う利用者が手荷物等を置くための荷物置き場として用いられる。正面パネル４１の例えば天井付近には、撮影処理の案内音声、ＢＧＭ(Back Ground Music)、効果音等の音を出力するスピーカも設けられる。
【００５８】
図５は、背景部２２の撮影空間Ａ１側の構成例を示す図である。
【００５９】
上述したように、背面パネル５１の上方には背景カーテンユニット２５が設けられる。背景カーテンユニット２５のほぼ中央には、撮影空間Ａ１内で撮影処理を行っている利用者を後方中央から照射する背面中央ストロボ１０１−１および背面中央ストロボ１０１−２が取り付けられる。
【００６０】
背面パネル５１の上方であって、出入り口Ｇ１側の位置には、撮影空間Ａ１内で撮影処理を行っている利用者を左後方から照射する背面左照明部１０２が取り付けられる。また、背面パネル５１の上方であって、出入り口Ｇ２側の位置には、撮影空間Ａ１内で撮影処理を行っている利用者を右後方から照射する背面右照明部１０３が取り付けられる。
【００６１】
図６は、編集部１２の正面側（編集空間Ａ２−１側）の構成例を示す図である。
【００６２】
斜面７２のほぼ中央には、タブレット内蔵モニタ１３１が設けられる。タブレット内蔵モニタ１３１を挟んで左側にタッチペン１３２Ａが設けられ、右側にタッチペン１３２Ｂが設けられる。
【００６３】
タブレット内蔵モニタ１３１は、タッチペン１３２Ａまたは１３２Ｂを用いて操作入力が可能なタブレットがＬＣＤなどのモニタに重畳して設けられることによって構成される。タブレット内蔵モニタ１３１には、例えば、編集対象画像として選択された撮影画像の編集に用いられる画面である編集画面が表示される。２人で同時に編集作業を行う場合、タッチペン１３２Ａは一方の利用者により用いられ、タッチペン１３２Ｂは他方の利用者により用いられる。
【００６４】
編集部１２の左側には事後接客部１３が設けられる。
【００６５】
図７は、事後接客部１３の正面側の構成例を示す図である。
【００６６】
事後接客部１３の上方中央にはタブレット内蔵モニタ１６１が設けられる。タブレット内蔵モニタ１６１を挟んで左側にタッチペン１６２Ａが設けられ、右側にタッチペン１６２Ｂが設けられる。タブレット内蔵モニタ１６１もタブレット内蔵モニタ１３１と同様に、タッチペン１６２Ａまたは１６２Ｂを用いて操作入力が可能なタブレットがＬＣＤなどのモニタに重畳して設けられることによって構成される。タブレット内蔵モニタ１６１には、ミニゲームなどの事後接客処理に用いられる画面が表示される。
【００６７】
タブレット内蔵モニタ１６１の下には非接触型ＩＣリーダ／ライタ１６３が設けられ、非接触型ＩＣリーダ／ライタ１６３の下にはシール紙排出口１６４が設けられる。シール紙排出口１６４の下にはスピーカ１６５が設けられる。
【００６８】
非接触型ＩＣリーダ／ライタ１６３は、近接された非接触型ＩＣと通信を行い、非接触型ＩＣからのデータの読み出しや非接触型ＩＣに対するデータの書き込みを行う。
【００６９】
シール紙排出口１６４には、編集空間Ａ２−１の利用者が編集処理を行うことによって作成した画像が印刷されたシール紙、または、編集空間Ａ２−２の利用者が編集処理を行うことによって作成した画像が印刷されたシール紙が排出される。編集部１２の内部にはプリンタが設けられており、画像の印刷がそのプリンタにより行われる。
【００７０】
スピーカ１６５は、事後接客処理の案内音声、ＢＧＭ、効果音等の音を出力する。
【００７１】
［ストロボの構成について］
上述した構成を有する写真シール作成装置１は、利用者（被写体）を美しく撮影するために、被写体に光を均一に当てるような構成とされている。仮に光が均一に被写体に当たらない状態で撮影が行われると、明るい所と暗い所ができたり、髪のつやが斑になったり、写りが良くない画像となってしまう可能性がある。
【００７２】
また、写真シール作成装置１は、１人で利用される場合もあるし、複数人で利用される場合もある。例えば、図８に示すように、２人で利用される場合、一方の人の影が、他方の人にかかってしまう状態で撮影が行われると、好ましくない。そこで、写真シール作成装置１には、上述したように複数の照明（ストロボなど）が備えられている。例えば、図８に示したように、また図５を参照した説明したように、背面中央ストロボ１０１−１、背面中央ストロボ１０１−２、背面左照明部１０２、および背面右照明部１０３が備えられている。
【００７３】
背面中央ストロボ１０１−１と背面中央ストロボ１０１−２により、被写体の上部から光を照射することで、また、背面左照明部１０２と背面右照明部１０３により、被写体のそれぞれの側面から光を照射することで、影ができないように構成されている。また、図４に示したように、被写体の正面からも上ストロボ８２、左ストロボ８３、右ストロボ８４、下ストロボ８５、足元ストロボ８６、正面ストロボ９２などから光が照射されるため、複数人で撮影を行ったときでも、影ができないように構成されている。
【００７４】
しかしながら、上記したように、被写体には光が均一に当たることが好ましい。被写体に光が均一に当たるように、照明、特にストロボの光を制御することについて以下に説明する。
【００７５】
再度図８を参照する。図８は、背景部２２の撮影空間Ａ１側の構成例を示す図である。背面パネル５１の上方には背景カーテンユニット２５が設けられる。背景カーテンユニット２５のほぼ中央には、撮影空間Ａ１内で撮影処理を行っている利用者を後方中央から照射する背面中央ストロボ１０１−１および背面中央ストロボ１０１−２が取り付けられる。
【００７６】
背面パネル５１の上方であって、出入り口Ｇ１側の位置には、撮影空間Ａ１内で撮影処理を行っている利用者を左後方から照射する背面左照明部１０２が取り付けられる。また、背面パネル５１の上方であって、出入り口Ｇ２側の位置には、撮影空間Ａ１内で撮影処理を行っている利用者を右後方から照射する背面右照明部１０３が取り付けられる。
【００７７】
背面左照明部１０２と背面右照明部１０３は、同一の構造とされている。ここでは、背面右照明部１０３を例にあげて説明を続ける。図９は、背面右照明部１０３の内部構成を示す図である。背面右照明部１０３には、蛍光ランプ２０１乃至２０４が、縦方向に一列に配置されている。これらの蛍光ランプ２０１乃至２０４は、常時、撮影空間Ａ１を明るくするために設けられている。この蛍光ランプ２０１乃至２０４を備え、撮影空間Ａ１が明るくなるように構成することで、利用者の撮影意欲を高めることができる。
【００７８】
背面右照明部１０３の蛍光ランプ２０１と蛍光ランプ２０２の間にストロボ２０５が設けられている。ストロボ２０５は、図９に示すように、背面右照明部１０３の上方に設けられる。ストロボ２０５は、撮影が行われる瞬間に、比較的強い光を発光するように構成されている。背面右照明部１０３には、蛍光ランプ２０１乃至２０４、およびストロボ２０５を覆い隠すアクリル板（図９では不図示）が取り付けられている。アクリル板が取り付けられているために、図８に示すように、利用者からは蛍光ランプ２０１乃至２０４、およびストロボ２０５は見えないデザインとされている。
【００７９】
なお、アクリル板は、デザインの一部として設けられている一面もあるが、アクリル板で蛍光ランプ２０１乃至２０４、およびストロボ２０５を覆うことで、柔らかい雰囲気の光を被写体に照射することができるようになるという効果も得られる。そのような光で撮影された画像は、被写体全体がふんわりとした雰囲気の撮影画像となり、利用者が好むような画像とすることができる。
【００８０】
また、蛍光ランプ２０１乃至２０４とストロボ２０５が備えられている背面右照明部１０３は、比較的縦方向に長く構成されている。図８に示したように、背面左照明部１０２と背面右照明部１０３は、縦方向に長く構成され、利用者の身の丈を全体的に照射できるような大きさに構成されている。このように構成されることで、利用者の身の丈を全体的にふんわりとした雰囲気の写りの画像を撮影し、提供することが可能となる。
【００８１】
図１０は、ストロボ２０５の構成を示す図である。ストロボ２０５は、図１０Ａに示すように、まず遮蔽物２３１で覆われている。この遮蔽物２３１を取り除くと、図１０Ｂに示すように、ストロボアクリルカバー２３２がある。このストロボアクリルカバー２３２を取り除くと、図１０Ｃに示すようにストロボ本体２３３がある。このように、ストロボ２０５は、光を照射するストロボ本体２３３を、ストロボアクリルカバー２３２で覆い、さらに遮蔽物２３１で覆う構造とされている。
【００８２】
仮に図１０Ｃに示したようなストロボ本体２３３のみで、ストロボアクリルカバー２３２と遮蔽物２３１が取り付けられていない状態で、ストロボ２０５が構成されていた場合、ストロボ本体２３３が発光すると、比較的強い光が被写体に直接的に照射されてしまう。ストロボアクリルカバー２３２でストロボ本体２３３を覆うことで、ストロボ本体２３３からの強い光を、柔らかい光に変換し、被写体に照射することが可能となる。また、ストロボアクリルカバー２３２を設けることで、利用者の顔に強く光が当たりすぎて白飛びするのを防ぐことが可能となる。ストロボアクリルカバー２３２の色を、例えば、乳白色にすることで、利用者の顔の色をより美しくする光を照射することが可能となる。
【００８３】
また仮に、図１０Ｂに示したようなストロボ本体２３３がストロボアクリルカバー２３２で覆われてはいるが、遮蔽物２３１が取り付けられていない状態で、ストロボ２０５が構成されていた場合、ストロボ本体２３３が発光すると、柔らかい光であるが、均一ではない光が被写体に照射されてしまう可能性がある。ストロボ本体２３３からの光は拡散光であり、ストロボ本体２３３から直進する方向の光は強く、上下方向に進む光は弱くなるという特徴がある。すなわち、ストロボ本体２３３からの拡散光には強弱があり、均一に照射されない。
【００８４】
よって、ストロボ２０５の構成を、仮に図１０Ｂに示したような構成にした場合、被写体にストロボ２０５からの強弱のある拡散光が照射されることになり、例えば、髪の艶が斑になり、写りが良くない画像が撮影されてしまう可能性がある。図１０Ａに示したように、ストロボ２０５を、ストロボ本体２３３をストロボアクリルカバー２３２で覆い、さらに、そのストロボアクリルカバー２３２を覆うように遮蔽物２３１を装着した構成とすることで、遮蔽物２３１により、光の強弱を吸収し、均一な光となるようにすることができる。
【００８５】
そのような均一な光が、被写体に照射されるように設けられた遮蔽物２３１の構造について、図１１を参照して説明する。遮蔽物２３１は、ストロボ本体２３３とストロボアクリルカバー２３２を覆う構造とされている。遮蔽物２３１の高さ方向（図１１中、上下方向）は、長さＡとされている。この長さＡは、ストロボ本体２３３の長さよりも長い長さとされている。遮蔽物２３１にはスリットが設けられている。図１１に示した例では、２つのスリット２５１とスリット２５２が設けられている。スリット２５１は、遮蔽部分２６１と遮蔽部分２６２との間に設けられ、スリット２５２は、遮蔽部分２６２と遮蔽部分２６３との間に設けられている。
【００８６】
スリット２５１とスリット２５２は、それぞれ長さＣの幅を有するスリットとされている。スリット２５１とスリット２５２の間の遮蔽部分２６２の長さは長さＢとされている。長さＢは、長さＣよりも長い長さとされている。また、遮蔽部分２６１と遮蔽部分２６３のそれぞれの長さは長さＤとされている。この長さＤは、長さＢより短い長さとされている。長さＣと長さＤは、同一でも良いし、一方が他方より長くても良い。図１１に示した例では、長さＤの方が長さＣよりも長く構成されている。
【００８７】
このように、遮蔽物２３１は、中央に長い遮蔽部分２６２を有し、かつ両端にも遮蔽部分２６１，２６３を有する構成とされている。ストロボ本体２３３が発光したとき、遮蔽部分２６１乃至２６３により光が遮蔽され、スリット２５１，２５２の部分から光が照射されることになる。このように、ストロボ２０５が構成されることで、光の強い部分を大きく遮蔽し、光が弱い部分を小さく遮蔽することができ、光を均一に被写体に照射させることが可能となる。
【００８８】
このようなストロボの構成は、背面中央ストロボ１０１−１と背面中央ストロボ１０１−２にも適用される。背面中央ストロボ１０１−１と背面中央ストロボ１０１−２は、同じ構成とされているため、背面中央ストロボ１０１−１を例にあげて説明する。
【００８９】
図１２は、背面中央ストロボ１０１−１の構成を示す図である。背面中央ストロボ１０１−１は、図８に示したように、背面パネル５１の上方の背景カーテンユニット２５のほぼ中央に、背面中央ストロボ１０１−２とともに取り付けられている。図８に示したような状態と同じ状態で、背面中央ストロボ１０１−１を見たときの図が図１２である。図１２中、上方向が、背景パネル５１の上方向と一致し、図１２中、下方向が、図８における利用者がいる方向となる。
【００９０】
背面中央ストロボ１０１−１も、ストロボ２０５と同じく、ストロボ本体２３３’（不図示）が、ストロボアクリルカバー２３２’に覆われ、さらに遮蔽物２３１’で覆われる構成とされている。ダッシュ（’）は、ストロボ２０５を構成するストロボ本体２３３、ストロボアクリルカバー２３２、遮蔽物２３１と区別するために付した。背面中央ストロボ１０１−１においても、利用者側に遮蔽物２３１’が備えられ、利用者に照射される方向の光が一部遮蔽するように、遮蔽物２３１’が備えられている。
【００９１】
背面中央ストロボ１０１−１も、ストロボ２０５と同様の構成とされることで、光を柔らかい光に変換することができるととともに、均一な光を被写体に照射させることが可能となる。
【００９２】
背面中央ストロボ１０１−１、背面中央ストロボ１０１−２、背面左照明部１０２、背面右照明部１０３のそれぞれに備えられているストロボは、図１０に示したようなストロボ２０５の構成を有している。よって、被写体の背面から照射される上方向からの光と、左右方向からの光は、それぞれ均一な光とすることができる。
【００９３】
また、背面左照明部１０２のストロボと背面右照明部１０３のストロボは、それぞれ上部に備えられている。背面左照明部１０２のストロボ、背面中央ストロボ１０１−１、背面中央ストロボ１０１−２、および背面右照明部１０３のストロボからのそれぞれの光が、つながったような光となり、光全体がつながったふんわりとした雰囲気の写りの画像を、利用者に提供することが可能となる。
【００９４】
なお、利用者の頭上に備えられている天井ストロボユニット２４は、背面中央ストロボ１０１−１や背面中央ストロボ１０１−２に備えたような遮蔽物２３１は備えない構成とされる。天井ストロボユニット２４に遮蔽物２３１を備えない構成とすることで、利用者の髪の艶感を出すことが可能となる。
【００９５】
［遮蔽部の変形例について］
さらにストロボ２０５について説明を続ける。図１３乃至図１５を参照し、遮蔽部２３１の変形例について説明する、図１３は、上述した遮蔽部２３１であり、ストロボ２０５を横方向から見たときの図である。図１３には、上述した説明では図示していなかったアクリル板３０１を図示した。アクリル板３０１は、例えば、図９を参照して説明したように、蛍光ランプ２０１乃至２０４やストロボ２０５を覆い隠すように、設けられている。
【００９６】
図１３に示したように、ストロボ本体２３３からの光は、ストロボアクリルカバー２３２を介し、遮蔽物２３１のスリットの部分からアクリル板３０１の方向に出る。ストロボ本体２３３の中央部分からの光は、遮蔽物２３１により遮光されるため、中央部分に光が集まり、中央部分の光が強くなってしまうことを防ぐことができる。
【００９７】
すなわち、アクリル板３０１に到達する光は、中央部分に光が集まることなく、拡散された光であり、均一な光となっている。
【００９８】
図１４は、遮蔽物２３１の他の構成を示す図である。図１４に示した遮蔽物３３１は、スリットを３箇所有する点が、上述した遮蔽物２３１と異なる。すなわち、図１４に示した遮蔽物３３１は、遮蔽部分３６１と遮蔽部分３６２との間にスリット３５１を有し、遮蔽部分３６２と遮蔽部分３６３との間にスリット３５２を有し、遮蔽部分３６３と遮蔽部分３６４との間にスリット３５３を有する。
【００９９】
スリット３５１の幅の長さを長さＥとする。スリット３５１とスリット３５３は、同一の長さとされるため、スリット３５３も、長さＥとなる。スリット３５２の幅の長さを長さＦとする。長さＥは長さＦよりも長い長さとされている。図１４に示した遮蔽物３３１のスリットの大きさは、中央が小さく、両端は大きく構成されている。このような構成の遮蔽物３３１を用いることで、被写体に光を均一に照射することができる。
【０１００】
なお、図１４に示した例では、遮蔽部分３６１と遮蔽部分３６４を設ける構成を示したが、ストロボ本体２３３の端の部分に遮蔽部分を設けなくとも、光を均一に照射することが可能なので、遮蔽部分３６１と遮蔽部分３６４を設けない構成とすることも可能である。
【０１０１】
図１５は、遮蔽物２３１の他の構成を示す図である。図１５に示した遮蔽物４３１は、スリットを３箇所有する点で、上述した遮蔽物３３１と同じである。図１５に示した遮蔽物４３１のスリット４５１乃至４５３は、それぞれ同一の幅の長さとされている。
【０１０２】
図１４に示した遮蔽物３３１と図１５に示した遮蔽物４３１とを比較するに、遮蔽物３３１の遮蔽部分３６１より、遮蔽物４３１の遮蔽部分４６１は高さが低く構成されている。同様に、遮蔽物３３１の遮蔽部分３６４より、遮蔽物４３１の遮蔽部分４６４は高さが低く構成されている。このように、両端に備えられている遮蔽部分４６１と遮蔽部分４６４の高さは、低く構成されている。図１４に示した例では、ストロボアクリルカバー２３２がストロボ本体２３３を覆っている高さと同じ高さとされている。また、遮蔽部分４６１と遮蔽部分４６４は、ストロボ本体２３３に対して、近い位置に配置されている。
【０１０３】
なお、図１５に示した例では、遮蔽部分４６１と遮蔽部分４６４を設ける構成を示したが、ストロボ本体２３３の端の部分に遮蔽部分を設けなくとも、光を均一に照射することが可能なので、遮蔽部分４６１と遮蔽部分４６４を設けない構成とすることも可能である。
【０１０４】
一方で、中央部分に備えられている遮蔽部分４６２と遮蔽部分４６３は、それぞれ図１４に示した遮蔽物３３１の遮蔽部分３６２と遮蔽部分３６３と比較して、高さが高く構成されている。遮蔽部分４６２と遮蔽部分４６３は、ストロボ本体２３３に対して、遠い位置に配置されている。
【０１０５】
このように、図１５に示した遮蔽物４３１は、スリットの大きさは全て同じ大きさであり、中央の遮蔽部分４６２と遮蔽部分４６３は、ストロボ本体２３３との距離がそれぞれ大きく、両端の遮蔽部分４６１と遮蔽部分４６４は、ストロボ本体２３３との距離がそれぞれ小さい構成とされている。このような構成の遮蔽物４３１を用いることで、被写体に光を均一に照射することができる。
【０１０６】
上述した遮蔽物２３１，３３１，４３１は、それぞれ光を遮光する材質であれば、どのような材質で構成されていても良い。
【０１０７】
［遮蔽物以外で光を均一にするための構成について］
上述した実施の形態においては、ストロボアクリルカバー２３２を遮蔽物２３１、遮蔽物３３１、または遮蔽物４３１で覆うように構成する例を示した。次に、ストロボアクリルカバー２３２に、ストロボ本体２３３からの光を遮蔽する機能を持たせた場合について説明する。ストロボアクリルカバー２３２に光を遮断する機能を持たせることで、以下に説明するように、ストロボ２０５を、遮蔽物を設けない構成とすることができる。
【０１０８】
図１６は、ストロボアクリルカバーに、ストロボ本体２３３からの光を遮蔽する機能を持たせた場合のストロボ２０５の構成を示す図である。なお、上述した説明においては、ストロボアクリルカバー２３２と記述したが、素材はアクリルに限定されることを意味する記載ではない。以下の説明においては、ストロボアクリルカバー２３２と同等の位置に備え付けられるカバーを、ストロボカバーと記述する。
【０１０９】
図１６を参照するに、ストロボ２０５は、ストロボ本体２３３からの光を照射する方向であり、ストロボ本体２３３に近い側にストロボカバー５３２が設けられ、その先に、アクリル板３０１が設けられる構造とされている。図１６に示したストロボカバー５３２は、中央部分が端の部分よりも厚い構造とされている。ストロボ本体２３３からの光のうち、ストロボカバー５３２の中央部分を通る光は、ストロボカバー５３２の厚みにより弱められ、ストロボカバー５３２の端部分を通る光よりも弱い光となる。
【０１１０】
このように、ストロボカバー５３２を、中央部分は厚く、端部分は薄く構成することで、ストロボ本体２３３からの光が、均一に照射されるように制御することができる。
【０１１１】
なお、図１６に示したストロボカバー５３２の縦方向の長さは、ストロボ本体２３３と同じ長さとして図示してあるが、ストロボ本体よりも短く構成しても良い。このように構成した場合、ストロボ本体２３３の中央部分からの光は、厚みが変化するストロボカバー５３２を介して、アクリル板３０１に到達するが、ストロボ本体２３３の端からの光は、ストロボカバー５３２を介さずに、アクリル板３０１に到達する。このように構成しても、ストロボ本体２３３からの光は、被写体に均一に照射されるようにすることができる。
【０１１２】
また、図１６に示したストロボカバー５３２は、ストロボ本体２３３側が湾曲形状とされ、アクリル板３０１側は、直線形状とされているが、逆に構成しても良い。すなわち、ストロボカバー５３２を、ストロボ本体２３３側を直線形状とし、アクリル板３０１側を、湾曲形状とする構成とすることも可能である。
【０１１３】
また、例えば図１３と同じように、ストロボ本体２３３の端の部分にも遮蔽部を設けるようにしても良い。図示はしないが、ストロボカバー５３２のストロボ本体２３３の端の部分に位置する部分の厚みを、中央部分の厚みと同じく厚くすることで、図１３と同じく、中央部分と端に遮蔽部を備えるストロボカバー５３２を構成することができる。
【０１１４】
図１７は、さらに他のストロボ２０５の構成を示す図である。図１７に示したストロボ２０５は、ストロボ本体２３３からの光を照射する方向であり、ストロボ本体２３３に近い側にストロボカバー６３２が設けられ、その先に、アクリル板３０１が設けられる構造とされている。
【０１１５】
図１７に示したストロボカバー６３２は、中央部分６５１と、その両端の端部６５２と端部６５３は、異なる材質で構成されている。端部６５２と端部６５３は、同一の材質で構成され、比較的光を通しやすい材質（光の透過度が高い材質）で構成されているのに対し、中央部分６５１は、比較的光を通しづらい材質（光の透過度が低い材質）で構成されている。このようにストロボカバー６３２を構成する材質を中央部分とその他の部分で異ならせることで、ストロボ本体２３３からの光のうち、ストロボカバー６３２の中央部分を通る光は、ストロボカバー６３２の中央部分６５１の材質の性質により弱められ、ストロボカバー６３２の端部分を通る光よりも弱い光となる。
【０１１６】
このように、ストロボカバー６３２を、中央部分は光を通しづらい材質で構成し、端部分は光を通しやすい材質で構成することで、ストロボ本体２３３からの光が、均一に照射されるように制御することができる。
【０１１７】
なお、図１７に示した例でも、図１６に示した場合と同じく、ストロボカバー６３２の縦方向の長さは、ストロボ本体２３３と同じ長さとして図示してあるが、ストロボ本体よりも短く構成しても良い。また、端部６５２や端部６５３を設けない構成としても良い。
【０１１８】
なお、ここでは中央部分６５１と端部６５２（端部６５３）は、異なる材質としたが、同一の材質、例えば、アクリルで構成し、中央部分６５１に、光が通しづらい色を塗り、端部６５２と端部６５３を透明、色を塗らない、または薄い色を塗る構成とすることも可能である。
【０１１９】
また、例えば図１３と同じように、ストロボ本体２３３の端の部分にも遮蔽部を設けるようにしても良い。図示はしないが、ストロボカバー６３２のストロボ本体２３３の端の部分に位置する端部６５２や端部６５３を、中央部分６５１と同じ材質で構成することで、図１３と同じく、中央部分と端に遮蔽部を備えるストロボカバー６３２を構成することができる。
【０１２０】
図１８は、さらに他のストロボ２０５の構成を示す図である。図１８に示したストロボ２０５は、ストロボ本体２３３からの光を照射する方向であり、ストロボ本体２３３に近い側にストロボカバー７３２が設けられ、その先に、アクリル板３０１が設けられる構造とされている。
【０１２１】
図１８に示したストロボカバー７３２は、シートで構成される。そしてストロボカバー７３２の中央部分７５１は、比較的光を通しづらいシート（光の透過率の低いシート）で構成され、ストロボカバー７３２の両端の端部７５２と端部７５３は、比較的光を通しやすいシート（光の透過率の高いシート）で構成される。このようにストロボカバー７３２を構成するシートの透過性を中央部分とその他の部分で異ならせることで、ストロボ本体２３３からの光のうち、ストロボカバー７３２の中央部分を通る光は、光の透過率が低いという性質により弱められ、ストロボカバー７３２の端部分を通る光よりも弱い光となる。
【０１２２】
このように、ストロボカバー７３２を、中央部分は光を通しづらいシートで構成し、端部分は光を通しやすいシートで構成することで、ストロボ本体２３３からの光が、均一に照射されるように制御することができる。
【０１２３】
なお、図１８に示した例でも、図１６に示した場合と同じく、ストロボカバー７３２の縦方向の長さは、ストロボ本体２３３と同じ長さとして図示してあるが、ストロボ本体よりも短く構成しても良い。また、端部７５２や端部７５３を設けない構成としても良い。
【０１２４】
なお、ここでは中央部分７５１と端部７５２（端部７５３）は、光の透過率が異なるシートとしたが、同一の素材のシートで構成し、中央部分７５１には、光を通しづらい色を塗り、端部７５２と端部７５３は透明に構成といったように構成することも可能である。
【０１２５】
また、例えば図１３と同じように、ストロボ本体２３３の端の部分にも遮蔽部を設けるようにしても良い。図示はしないが、ストロボカバー７３２のストロボ本体２３３の端の部分に位置する端部７５２や端部７５３を、中央部分７５１と同じ材質のシートで構成することで、図１３と同じく、中央部分と端に遮蔽部を備えるストロボカバー７３２を構成することができる。
【０１２６】
図１９は、さらに他のストロボ２０５の構成を示す図である。図１９に示したストロボ２０５は、ストロボ本体２３３からの光を照射する方向であり、ストロボ本体２３３に近い側にストロボカバー８３２が設けられ、その先に、アクリル板３０１が設けられる構造とされている。
【０１２７】
図１９に示したストロボカバー８３２は、調光シャッターを備える構成とされる。調光シャッターは、ストロボカバー８３２の中央部分８３１に備えられる。調光シャッターは、電流を流すことで、透明から不透明な状態に変化するものである。そのような調光シャッターを、ストロボカバー８３２の中央部分８５１に備えた場合、例えば、ストロボ本体２３３が発光するタイミングで電力が調光シャッターに供給され、不透明な状態にされる。
【０１２８】
このようにストロボカバー８３２の一部分に調光シャッターを設けることで、ストロボ本体２３３が発光するとき、ストロボカバー８３２の中央部分を通る光は、ストロボカバー８３２の調光シャッターにより遮光され（または弱められ）、ストロボカバー８３２の端部分を通る光よりも弱い光となるようにすることができる。よって、ストロボ本体２３３からの光が、均一に照射されるように制御することができる。
【０１２９】
なお、図１９に示した例でも、図１６に示した場合と同じく、ストロボカバー８３２の縦方向の長さは、ストロボ本体２３３と同じ長さとして図示してあるが、ストロボ本体よりも短く構成し、調光シャッターの部分のみで構成されるようにし、端部８５２や端部８５３を設けない構成としても良い。
【０１３０】
また、例えば図１３と同じように、ストロボ本体２３３の端の部分にも遮蔽部を設けるようにしても良い。図示はしないが、遮蔽部８３２のストロボ本体２３３の端の部分に位置する端部８５２や端部８５３を、中央部分８５１と同じく調光シャッターを設ける構成することで、図１３と同じく、中央部分と端に遮蔽部を備える遮蔽部８３２を構成することができる。  
【０１３１】
図２０は、さらに他のストロボ２０５の構成を示す図である。図２０に示したストロボ２０５は、ストロボ本体２３３からの光を照射する方向であり、ストロボ本体２３３に近い側にフィルム９０１が設けられ、その先に、透明板９０２が設けられ、さらにその先にアクリル板３０１が設けられる構造とされている。
【０１３２】
フィルム９０１は、中央部分が色づけられたフィルムであり、色づけされている部分は、遮光性のあるインクが用いられて色づけされている。透明板９０２は、透明な樹脂素材で構成されている。図２０に示した例では、フィルム９０１と透明板９０２を別体で示しているが、一体構成としても良い。一体構成とした場合、フィルム９０１が、透明板９０２に貼り付けられることで一体構成とされる。
【０１３３】
または、フィルム９０１を設けず、透明板９０２の中央部分を遮光性のあるインクで色づけするようにしても良い。透明板９０２の中央部分をインクで色づけするように構成した場合、中央部分は濃く、端に近づくほど、徐々に薄くなるように、濃度が変化するようにインクが塗布されるようにしても良い。
【０１３４】
なお、図２０に示した例でも、図１６に示した場合と同じく、フィルム９０１や透明板９０２の縦方向の長さは、ストロボ本体２３３と同じ長さとして図示してあるが、ストロボ本体よりも短く構成しても良い。また、色づけされない端部は、設けられない構成としても良い。
【０１３５】
また、例えば図１３と同じように、ストロボ本体２３３の端の部分にも遮蔽部を設けるようにしても良い。図示はしないが、フィルム９０１のストロボ本体２３３の端の部分に相当する部分を、中央部分と同じく色づけした構成とすることで、図１３と同じく、中央部分と端に遮蔽部を備えるフィルム９０１を構成することができる。
【０１３６】
図２１は、さらに他のストロボ２０５の構成を示す図である。図２１に示したストロボ２０５においては、ストロボ本体２３３は、被写体側ではなく、背面向きに備えられる。そして、ストロボ本体２３３からの光は、反射板１０１１に当たり、反射板１０１１により反射された光が、被写体に照射されるように構成されている。
【０１３７】
反射板１０１１は、ドーム型に構成される。ストロボ本体２３３からの光を、ドーム形状の反射板１０１１に反射させることで、図２１に示すように光を拡散し、その拡散された光を被写体に照射することができるようになり、被写体に照射される光を均一にすることが可能となる。
【０１３８】
［不要な光の排除について］
ところで、上述したストロボ２０５の構成によれば、被写体に光を均等に照射することができるため、被写体を美しく撮影することが可能となる。さらに、不要な光を排除し、必要な方向に光が照射されるようにすることで、より被写体を美しく撮影することができるようにする。まず図２２を参照し、不要な光について説明する。
【０１３９】
図２２は、撮影空間Ａ１を上方から見たときの概略図である。被写体に対して前方にカメラ９１が備えられ、そのカメラ９１により被写体が撮影される。被写体の後方の左右には、背面左照明部１０２と背面右照明部１０３が設けられている。通常、被写体は、背面パネル５１に背を向けた状態で、カメラ９１の方を向き、撮影を行う。
【０１４０】
背面左照明部１０２と背面右照明部１０３は、それぞれ被写体の後方から光を照射するが、その照射された光は拡散し、図２２の斜線を付して示した矢印方向にも、光は照射される。すなわち、背面パネル５１に沿った方向にも光は照射される。被写体の後方が背面左照明部１０２と背面右照明部１０３からの光で明るい状態となり、そのような状態のときに被写体が撮影されると、被写体は浮いたような感じに撮影されたり、光に包まれてしまいはっきりと写らない状態で撮影されたりしてしまい、背景が強調されたような画像となってしまう可能性がある。
【０１４１】
そこで、図２２に示したように、斜線を付した矢印で記載した方向、すなわち、背面パネル５１に沿った方向の領域は、光が不要な領域であると考えられる。なお、光が不要な領域とは、この場合、背面左照明部１０２と背面右照明部１０３に、それぞれ含まれているストロボ２０５からの光が、撮影時に不要である領域のことである。
【０１４２】
一方で、図２２に太い矢印で示した方向、すなわち、被写体に対する方向には光が必要である。また、被写体から遠ざかる方向の光は、徐々に弱く照射されるのが好ましい。撮影空間Ａ１の側面に沿った光も、背面パネル５１の方向に沿った光と同じく、被写体に照射される光ではないので不要である。しかしながら、以下の理由から、撮影空間Ａ１の側面に沿った光は、弱い光であってもあった方が良い。
【０１４３】
撮影空間Ａ１の側面には、利用者が出入りする出入り口が設けられている。その出入り口には、カーテンなどが設けられ、撮影時には、そのカーテンが閉められることで、撮影空間Ａ１への外部からの光が遮断されるように構成されている。しかしながら、カーテンから漏れて入ってくる光もあり、そのような光が、被写体に当たると、その光により、写りが良くなくなってしまう可能性がある。
【０１４４】
そのような光の影響を低減させるために、背面左照明部１０２と背面右照明部１０３からのそれぞれの光が、撮影空間Ａ１の側面方向にも照射されるようにする。また、その光が強いと、上記した背面パネル５１の方向に沿った光と同じく、被写体に対して好ましくない光となってしまう可能性があるため、弱い光とされる。
【０１４５】
このようなことから、背面左照明部１０２と背面右照明部１０３からのそれぞれの光のうち、被写体方向の光は強い光とされ、被写体から遠ざかる方向で、撮影空間Ａ１の側面に向かう方向では徐々に弱まる光とされ、背面パネル５１に沿った方向の光は遮断される。
【０１４６】
このように光の照射を制御するようにした場合、ストロボ２０５は、例えば、図２３に示すように構成することができる。図２３を参照するに、ストロボ本体２３３からの光を照射する方向であり、ストロボ本体２３３に近い側にストロボアクリルカバー２３２が設けられ、その先に、透過フィルム１０５１が設けられ、さらにその先にアクリルル板３０１が設けられる構造とされている。透過フィルム１０５１としては、例えば、OHPシートを用いることができる。
【０１４７】
図２３に示した例では、透過フィルム１０５１とストロボアクリルカバー２３２を別体で示しているが、一体構成としても良い。一体構成とした場合、透過フィルム１０５１が、ストロボアクリルカバー２３２に貼り付けられることで一体構成とされる。
【０１４８】
図２４は、透過フィルム１０５１の構成について説明するための図である。透過フィルム１０５１は、図２４Ａに示したように、横方向には大きさの異なる四角形が並べられ、縦方向には、中央は小さく、両端は同じ大きさの四角形が並べられ、その他の部分は、黒くされている。四角形の部分は、光を透過し、黒い部分は光を透過しないように構成されている。
【０１４９】
図中、“側面”と記述した側が、撮影空間Ａ１の側面側にくるように透過フィルム１０５１は、ストロボアクリルカバー２３２に貼付される。また、“背面”と記述した側が、撮影空間Ａ１の背面側にくるように透過フィルム１０５１は、ストロボアクリルカバー２３２に貼付される。透過フィルム１０５１の側面側には、光を透過する小さな四角形（四角形aとする）が配置されている。この四角形ａは、同一の大きさのものが２つ設けられ、中央には設けられていない。これは、上記してきた場合と同じく、中央部分の強い光を弱めるためである。
【０１５０】
四角形ａの隣側で、背面側に近づく側には、光を透過する四角形aよりも大きい四角形（四角形bとする）が配置されている。四角形bは、縦方向に３個の四角形があるが、中央の四角形bは、他の四角形bよりも小さく構成されている。図中、一番上から順に、四角形ｂ−１、四角形ｂ−２、四角形ｂ−３としたとき、四角形ｂ−１と四角形ｂ−３は、同一の大きさとされているが、四角形ｂ−２は、四角形ｂ−１や四角形ｂ−３よりも小さい四角形とされている。これは、上記してきた場合と同じく、中央部分の強い光を弱めるためである。
【０１５１】
さらに、四角形bの隣側で、背面側に近づく側には、光を透過する四角形bよりも大きい四角形（四角形cとする）が配置されている。四角形ｃも四角形ｂと同じく、中央の四角形ｃは、他の四角形ｃよりも小さく構成されている。図中、一番上から順に、四角形ｃ−１、四角形ｃ−２、四角形ｃ−３としたとき、四角形ｃ−１と四角形ｃ−３は、同一の大きさとされているが、四角形ｃ−２は、四角形ｃ−１や四角形ｃ−３よりも小さい四角形とされている。これは、上記してきた場合と同じく、中央部分の強い光を弱めるためである。
【０１５２】
そして、四角形ｃの隣側で、背面側に近づく側には、光を透過するための四角形は設けられず、光を透過しない黒色の領域とされている。このような透過フィルム１０５１をストロボアクリルカバー２３２に貼付した場合、図２４Ｂに示したようになる。図２４Ｂに示したように、側面側から徐々に四角形が大きくなるように、透過フィルム１０５１がストロボアクリルカバー２３２に貼付される。よって、側面側から、光が徐々に強くなるように制御することが可能となる。
【０１５３】
ここでは、透過フィルム１０５１をストロボアクリルカバー２３２に貼付するようにしたが、透過フィルム１０５１を設けず、ストロボアクリルカバー２３２に、図２４Ｂのようになるような色づけすることで実施することも可能である。また、透過フィルム１０５１の光が透過する部分の形状は、四角形としたが、他の形状であっても良い。
【０１５４】
このように、本技術によれば、被写体に光を均等に照射することが可能となる。また、本技術によれば、被写体に光を照射する際、不要な光を遮断することが可能なる。このようなことが可能となることで、写りのより画像を利用者に提供することが可能となる。
【０１５５】
なお、本明細書において、システムとは、複数の装置により構成される装置全体を表すものである。本技術の実施の形態は、上述した実施の形態に限定されるものではなく、本技術の要旨を逸脱しない範囲において種々の変更が可能である。
【符号の説明】
【０１５６】
１  写真シール作成装置，  １１  撮影ユニット，  １２  編集部，  ２０１  制御部，  ２０２  記憶部，  ２８２  撮影処理部，  ２８３  編集処理部，  ２８４  印刷処理部，  ２８５  事後接客処理部
【図１】
0005522161.tif 000002
【図２】
0005522161.tif 000003
【図３】
0005522161.tif 000004
【図４】
0005522161.tif 000005
【図５】
0005522161.tif 000006
【図６】
0005522161.tif 000007
【図７】
0005522161.tif 000008
【図８】
0005522161.tif 000009
【図９】
0005522161.tif 000010
【図１０】
0005522161.tif 000011
【図１１】
0005522161.tif 000012
【図１２】
0005522161.tif 000013
【図１３】
0005522161.tif 000014
【図１４】
0005522161.tif 000015
【図１５】
0005522161.tif 000016
【図１６】
0005522161.tif 000017
【図１７】
0005522161.tif 000018
【図１８】
0005522161.tif 000019
【図１９】
0005522161.tif 000020
【図２０】
0005522161.tif 000021
【図２１】
0005522161.tif 000022
【図２２】
0005522161.tif 000023
【図２３】
0005522161.tif 000024
【図２４】
0005522161.tif 000025